(57)【要約】【課題】  専用の視標体呈示装置を用意しなくても、簡単にグレア検査を行うことができる検眼装置を提供すること【解決手段】  左右一対のレンズ室ユニット５を持つ検眼装置本体１を備え、検査視標を呈示して被検眼の視力を検査する検眼装置において、検眼装置本体１側に設けられた照明光源７Ｒ及び７Ｌより投光されたグレア光は、ミラー１０Ｒ及び１０Ｌより反射されて被検眼へと導かれる。よって、被検眼には、眩しい状態で、検査視標が呈示される。【選択図】      図２
2005073924.tif 000002
【特許請求の範囲】
【請求項１】
検査窓に光学素子を切換え配置する左右一対のレンズ室ユニットを持つ検眼装置本体を備え、検査視標を呈示して被検眼の視力を検査する検眼装置において、前記検眼装置本体側に設けられたグレア光源と、前記グレア光源からの光を反射して被検眼へと導くための反射部材と、を備えることを特徴とする検眼装置。
【請求項２】
請求項１の検査装置において、前記反射部材を前記検査視標の観察光路を遮らない位置で、且つ被検眼の前方で保持する保持ユニットを持ち、該保持ユニットは前記検眼装置本体に取り付けられていることを特徴とする検眼装置。
【請求項３】
請求項２の保持ユニットは、前記反射部材を被検眼の前方の使用位置と被検眼の前方から退避させる退避位置とに移動可能に構成されていることを特徴とする検眼装置。
【請求項４】
請求項２又は３の検査装置において、前記保持ユニットは近用視標を保持するための近用ロッドを兼用することを特徴とする検眼装置。
【請求項５】
請求項１の検査装置において、前記グレア光源は近用ロッドに取り付けられた近用視標を照明する照明光源にも兼用されることを特徴とする検眼装置。
【発明の詳細な説明】
【技術分野】
【０００１】
本発明は、検査視標を呈示して被検眼を検査する検眼装置に関する。
【背景技術】
【０００２】
被検眼の眼前に球面レンズや円柱レンズ等の光学素子を組み合わせて切換え配置し、前方に検査視標を呈示して被検眼の屈折力を自覚的に検査する検眼装置が知られている。また。視機能検査の一つとして、検査視標を呈示時にグレア光源を点灯し、眩しい状態での視力を検査するグレア検査がある。このグレア検査を行う従来装置の構成としては、被検眼の前方に置かれた視標呈示装置側にグレア光源を配置し、グレア検査時にグレア光源を点灯する構成が一般的であった（例えば、特許文献１参照）。
【特許文献１】特開２００２−２０００４１号公報
【発明の開示】
【発明が解決しようとする課題】
【０００３】
しかしながら、上記従来装置の構成においては、グレア検査を行うためにはグレア光源を持つ専用の視標呈示装置を用意しなければならず、汎用性に欠ける問題があった。
【０００４】
本発明は、上記従来技術の問題点に鑑み、専用の視標体呈示装置を用意しなくても、簡単にグレア検査を行うことができる検眼装置を提供することを技術課題とする。、
【課題を解決するための手段】
【０００５】
本発明は、上記課題を達成するために、次のような構成を備えることを特徴とする。
【０００６】
（１）  検査窓に光学素子を切換え配置する左右一対のレンズ室ユニットを持つ検眼装置本体を備え、検査視標を呈示して被検眼の視力を検査する検眼装置において、前記検眼装置本体側に設けられたグレア光源と、前記グレア光源からの光を反射して被検眼へと導くための反射部材と、を備えることを特徴とする。
（２）  （１）の検査装置において、前記反射部材を前記検査視標の観察光路を遮らない位置で、且つ被検眼の前方で保持する保持ユニットを持ち、該保持ユニットは前記検眼装置本体に取り付けられていることを特徴とする。
（３）  （２）の保持ユニットは、前記反射部材を被検眼の前方の使用位置と被検眼の前方から退避させる退避位置とに移動可能に構成されていることを特徴とする。
（４）  （２）又は（３）の検査装置において、前記保持ユニットは近用視標を保持するための近用ロッドを兼用することを特徴とする。
（５）  （１）の検査装置において、前記グレア光源は近用ロッドに取り付けられた近用視標を照明する照明光源にも兼用されることを特徴とする。
【発明の効果】
【０００７】
本発明によれば、専用の視標体呈示装置を用意しなくても、簡単にグレア検査を行うことができる
【発明を実施するための最良の形態】
【０００８】
以下、本発明の実施の形態を図面に基づいて説明する。図１は本発明に係る検眼装置の概略構成図である。
【０００９】
１は検眼装置本体である。検眼装置本体１は、検眼テーブル２０に立設された支柱２１に備えられたアーム２２に吊下げ保持されている。４０は省スペース型の視標呈示装置である。視標呈示装置４０は、内部にビームスプリッタ、凹面鏡、視標板を背後から照明して視標光束を形成するユニット等を備え、検査視標を光学的に５ｍの遠用検査距離に呈示するものである。４５は検眼装置本体１及び視標呈示装置４０を操作するためのコントローラである。
【００１０】
図２は検眼装置本体１の外観斜視図である。検眼装置本体１は、左右対称な一対のレンズ室ユニット５と、この左右のレンズ室ユニット５を吊下げ支持する支持ユニット６と、により構成されている。左右のレンズ室ユニット５の内部には、球面レンズや円柱レンズなど多数の光学素子と同一円周上に配置したレンズディスクが回転可能に設けられており、左右のレンズ室ユニット５のそれぞれに設けられた検眼窓５ａに光学素子が切換え配置される。支持ユニット６は、左右のレンズ室ユニット５の間隔を調整するスライド機構や近用検査時に被検眼の輻輳に合わせるための輻輳機構を持つ。
【００１１】
７Ｒ及び７Ｌは、左右のレンズ室ユニット５にそれぞれ設けられた照明光源であり、複数の白色ＬＥＤからなる。照明光源７Ｒ，７Ｌはグレア検査時のグレア光源として使用すると共に、近用視標３０を照明する照明光源を兼ねる。２は、取付部材８を介して支持ユニット６側に取り付けられたロッドである。ロッド２には、その軸方向に移動可能な近用視標３０が保持部材３１を介して取り付けられている。保持部材３１は、水平軸を中心に回転可能に構成されており、近用視標３０をロッド２の軸方向と平行になるように跳ね上げておくことができる。
【００１２】
さらに、ロッド２には、照明光源７Ｒ，７Ｌからの光を被検眼に向けて反射するミラー１０Ｒ，１０Ｌが、ロッド２の軸方向に移動可能な保持部材１１を介して取り付けられている。ミラー１０Ｒ，１０Ｌは、グレア検査時に被検眼の前側に位置するように検眼装置本体１に対向して配置されると共に、視標呈示装置４０により５ｍの遠用距離に呈示される検査視標の観察光路を遮らないように、その観察光路を挟んで左右に配置される。なお、保持部材１１も、保持部材３１と同様に、水平軸を中心に回転可能に構成されており、ミラー１０Ｒ，１０Ｌをロッド２の軸方向と平行になるように、図１の点線で示す退避位置に跳ね上げておくことができる。このため、近用検査時には、ミラー１０Ｒ，１０Ｌを被検眼の前方から退避させた状態で、照明光源７Ｒ，７Ｌにより近用視標３０の視標面を照明することができる。
【００１３】
ミラー１０Ｒ，１０Ｌは、平板のミラーでも良いが、本実施形態では照明光源７Ｒ，７Ｌからの光の反射角度を広げ、一方の光源の反射光が被検眼の左右両方に導かれるように、凸形状のカーブ面としている。
【００１４】
また、取付部材８はロッド２を上側に折りたたみ可能な構成を有しており、近用検査時及びグレア検査時以外には、ロッド２を図２の点線位置に跳ね上げてることによって、近用視標３０及びミラー１０Ｒ，１０Ｌを被検者の視界から退避させた退避位置に置くことができる。
【００１５】
なお、本実施形態ではミラー１０Ｒ，１０Ｌを保持する保持ユニットとして、近用視標３０を保持するためのロッド２を兼用しているが、専用の保持ユニットを設けても良い。
【００１６】
以上のような構成において、視標呈示装置４０により遠用距離の検査視標を呈示したグレア検査を行う際には、図２に示すように、ロッド２を前側に倒し、ミラー１０Ｒ，１０Ｌを被検眼の前側の使用位置に配置する。このとき、近用視標３０は上方に跳ね上げるか、ロッド２から取り外しておく。図３は、遠用検査時のミラー１０Ｒ，１０Ｌと視標呈示装置４０により５ｍ前方に呈示される検査視標４０′の位置関係を示した図である。ミラー１０Ｒ，１０Ｌは、例えば、被検眼から３０ｃｍの距離に配置する。なお、検査視標４０′の呈示装置としては、直接５ｍの遠方に視力表を配置したり、検査視標５ｍｍ前方のスクリーンに投影するタイプ等の既存の視標呈示装置が使用できる。
【００１７】
コントローラ４５のスイッチを操作して光源７Ｒ，７Ｌを点灯する。光源７Ｒ，７Ｌから光が発せられると、ミラー１０Ｒにより光源７Ｒの虚像７Ｒ′が形成され、ミラー１０Ｌにより光源７Ｌの虚像７Ｌ′が形成される。虚像７Ｒ′及び７Ｌ′からの光は、検査窓５ａを介して共に左右の被検眼に向かう。よって、虚像７Ｒ′及び７Ｌ′からグレア光が投光された状態となるため、被検眼には眩しい状態で検査視標４０′を呈示したグレア検査が行える。この状態でコントローラ４５を操作し、検査窓５ａに配置する球面レンズや円柱レンズ等の光学素子を切換えることにより被検眼の屈折異常を矯正して視力検査を行う。また、検査視標はコントローラ４５を操作して切換えることができる。なお、グレア光の照明光量は、光源７Ｒ，７Ｌを構成するＬＥＤの点灯個数又は各ＬＥＤの光量調整で変更される。
【００１８】
また、近用検査時においてもグレア検査が可能である。この場合、上方に跳ね上げておいた近用視標３０を被検眼の前方に位置させる。このとき、近用視標３０はミラー１０Ｒとミラー１０Ｌの間に位置する。このため、近用視標３０は光源７Ｒ，７Ｌにより照明されると共に、両側に位置するミラー１０Ｒとミラー１０Ｌにより照明光が反射され、上記と同じく、虚像７Ｒ′及び７Ｌ′からグレア光が投光された状態となる。これにより、近用視標３０を呈示した状態でのグレア検査が容易に行える。
【００１９】
以上、本実施形態においては、反射部材としてのミラー１０Ｒ，１０Ｌの反射面を凸面カーブ形状としたことにより反射角度が広がり、一方の光源からの反射光を左右両眼に導くことが可能となる。ミラー１０Ｒ，１０Ｌの反射面は、もちろん平板形状であっても良い。さらに、保持部材１１により保持されたミラー１０Ｒ，１０Ｌの反射角度を調整可能にしておくことにより、ミラー１０Ｒ，１０Ｌの配置距離を調整した場合やレンズ室ユニット５の間隔を調整した場合にも、被検眼に反射光を導くことが可能になる。
【００２０】
また、ミラー１０Ｒ，１０Ｌの配置位置は、視標の観察光路を上下にしても良いし、左右上下の４方向に配置しても良い。また、上記実施形態ではミラー１０Ｒ，１０Ｌを保持部材１１とロッド２とからなる保持ユニットにより検眼装置本体１に保持させるものとしたが、検眼テーブル２０上で載置するような構成としても良い。さらに、省スペース型の視標呈示装置４０の筐体自体は被検眼から前方１ｍほどの距離に置かれるので、その筐体の視標観察窓の左右両側にミラー１０Ｒ，１０Ｌを配置し、光源７Ｒ，７Ｌの光を反射させて被検眼にグレア光を投光する構成としても良い。
【００２１】
また、グレア光を発する光源７Ｒ，７Ｌの配置についても、検眼装置本体１側である支持ユニット６やアーム２３に設ける構成としても良い。
【図面の簡単な説明】
【００２２】
【図１】本発明に係る検眼装置の概略構成図である。
【図２】検眼装置本体の外観斜視図である。
【図３】遠用検査時のミラーと視標呈示装置により５ｍ前方に呈示される検査視標の位置関係を示した図である。
【符号の説明】
【００２３】
１  検眼装置本体
２  ロッド
７Ｒ、７Ｌ  照明光源
１０Ｒ、１０Ｌ  ミラー
１１  保持部材
３０  近用視標
【図１】
2005073924.tif 000003
【図２】
2005073924.tif 000004
【図３】
2005073924.tif 000005